(57)【要約】【課題】  、需要者が好みの機能部品を好みの位置に取付けたり、取外したりして、コーディネートを楽しむことができ、且つ、機能部品を取付けなくても意匠性の良いパネル体の提供。【解決手段】  パネル体本体１と、レール２と、化粧板３を備え、レール２は、奥側が入口側よりも広くなっており、パネル体本体１の表面に左右方向又は上下方向に取付けてあり、化粧板３は、パネル体本体１の表面に取付けてあって、レール２を隠しており、レール２を利用して機能部品４，５，６，７，８を取付け自在である。【選択図】      図１
2015094115.tif 000002
【特許請求の範囲】
【請求項１】
パネル体本体と、レールと、化粧板を備え、レールは、奥側が入口側よりも広くなっており、パネル体本体の表面に左右方向又は上下方向に取付けてあり、化粧板は、パネル体本体の表面に取付けてあって、レールを隠しており、レールを利用して機能部品を取付け自在であることを特徴とするパネル体。
【発明の詳細な説明】
【技術分野】
【０００１】
本発明は、玄関ドア等に用いられるパネル体に関する。
【背景技術】
【０００２】
従来より、玄関ドアの表面にリース等を掛けるためのフックを取付けたものが知られている（例えば、非特許文献１参照。）。このような従来のフック等機能部品は、玄関ドアの表面に孔を開けてネジで固定しており、取付け位置変更に容易に対応できるものではなかった。
【先行技術文献】
【特許文献】
【０００３】
【非特許文献１】三協立山株式会社三協アルミ社発行のカタログ「玄関ドア 総合カタログ」（カタログＮｏ．ＳＴＪ０８０２Ａ ＴＳ．１３．０２−３２０）、２０１３年２月、ｐ．４３８
【発明の概要】
【発明が解決しようとする課題】
【０００４】
本発明は以上に述べた実情に鑑み、需要者が好みの機能部品を好みの位置に取付けたり、取外したりして、コーディネートを楽しむことができ、且つ、機能部品を取付けなくても意匠性の良いパネル体の提供を目的とする。
【課題を解決するための手段】
【０００５】
上記の課題を達成するために請求項１記載の発明によるパネル体は、パネル体本体と、レールと、化粧板を備え、レールは、奥側が入口側よりも広くなっており、パネル体本体の表面に左右方向又は上下方向に取付けてあり、化粧板は、パネル体本体の表面に取付けてあって、レールを隠しており、レールを利用して機能部品を取付け自在であることを特徴とする。
【発明の効果】
【０００６】
請求項１記載の発明によるパネル体は、パネル体本体の表面にレールが左右方向又は上下方向に取付けてあり、レールを利用して機能部品を取付け自在であるため、需要者が好みの機能部品を好みの位置に取付けて、パネル体を自由にコーディネートできる。レールは、奥側が入口側よりも広くなっているので、機能部品が外れにくい。さらに、パネル体表面に取付けた化粧板でレールを隠してあるので、機能部品を取付けない場合の意匠性も良い。
【図面の簡単な説明】
【０００７】
【図１】本発明のパネル体の第１実施形態を示す正面図であって、機能部品を取付けた状態を示す。
【図２】本発明のパネル体の第１実施形態を示す正面図であって、機能部品を取付けない状態を示す。
【図３】図２のＡ−Ａ断面図である。
【図４】図２のＢ−Ｂ断面図である。
【図５】（ａ）はリースフックの平面図、（ｂ）はリースフックの正面図、（ｃ）はリースフックの側面図である。
【図６】リースフックの取付け方を示す斜視図である。
【図７】（ａ）はカスタムフックの平面図、（ｂ）はカスタムフックの正面図、（ｃ）はカスタムフックの側面図である。
【図８】（ａ）は表札の正面図、（ｂ）は表札の側面図である。
【図９】表札の取付け方を示す側面図である。
【図１０】（ａ）はポストの正面図、（ｂ）はポストの側面図である。
【図１１】（ａ）はプランターボックスの正面図、（ｂ）はプランターボックスの側面図である。
【図１２】本発明のパネル体の第２実施形態を示す正面図であって、機能部品を取付けた状態を示す。
【図１３】本発明のパネル体の第２実施形態を示す正面図であって、機能部品を取付けない状態を示す。
【図１４】図１３のＣ−Ｃ断面図である。
【図１５】リースフックの取付け方を示す斜視図である。
【発明を実施するための形態】
【０００８】
以下、本発明の実施の形態を図面に基づいて説明する。図１〜４は、本発明のパネル体の第１実施形態を示している。本パネル体は、玄関ドア用のパネル体であり、図示しない蝶番によりドア枠に開閉自在に取付けられる。
【０００９】
本パネル体は、図２〜４に示すように、金属製のフレーム９を四周枠組みし、その枠内に発泡スチロール板等の断熱性の芯材１０を配置し、室外側と室外側に鋼板よりなるパネル１１，１１を貼り付けたいわゆるフラッシュ構造のパネル体本体１を備え、そのパネル体本体１の室外側面に複数本のレール２，２，…が上下方向に間隔をおいて左右方向に取付けてある。さらにパネル体本体１の室外側面には、複数枚の帯板状の化粧板３，３，…が長手方向を横方向にして配設され、いわゆる横張りで取付けてある。
レール２は、アルミニウム合金の押出形材よりなり、図３に示すように、断面略Ｃ字形に形成され、レール２内に溝が奥側が入口側よりも広くなるように形成してある。
化粧板３は、例えば木材等で形成され、図３に示すように、上下方向の縁部の裏面側に、レール２の見付壁２ａ及び見込壁２ｂが納まる掘り込み部１２が形成してある。化粧板３は、レール２の開口部１３と同じ幅の隙間をあけて取付けてあり、上下に隣接する化粧板３の掘り込み部１２間にレール２を収納している。そのため、本パネル体を正面から見ると、化粧板３同士の隙間からレール２の溝内のみがのぞき、レール２の見付壁２ａ及び見込壁２ｂは化粧板３に隠れて見えないようになっている。
【００１０】
パネル体は、図２に示すように、戸先側に開閉用のハンドル１４を備え、ハンドル１４の上方と下方の２箇所に施錠のためのシリンダー２６が設けてある。シリンダー２６は、上述のレール２の底部に配置されている。このように、シリンダー２６が化粧板３間の隙間の奥に位置するレール２の底部に配置されていることで、シリンダー２６がどこにあるのか分かりにくいため、防犯性が向上する。
【００１１】
本パネル体は、図１に示すように、レール２を利用して需要者が様々な機能部品を好きな位置に取付けたり、取外したりして、自由にカスタマイズできる点に特徴がある。図１の例では、機能部品として、リースを掛けるためのリースフック４、表札６、ポスト７、プランターボックス８を取付けている。
リースフック４は、アルミの鋳物等で形成され、図５に示すように、花のような形となっており、フックでありながらオーナメント（飾り）を兼ねるものとなっている。リースを掛けるフック部１５は、リースフック４の下端部に室内側に突出して形成されている。このように、フック部１５を室内側に向かって突出して形成したことで、未使用時の美観に優れ、フック部１５による怪我の心配がない。リースフック４は、中央部の裏面側にレール２と係合する矩形の板状の係合部１６と、係合部１６からのびる軸部１７を有している。
リースフック４を取付ける際は、図６（ａ）に示すように、係合部１６が横長の状態となるようにして持ち、室外側から係合部１６をレール２の開口部１３に挿入する。その後、図６（ｂ）に示すように、９０°回転することで、係合部１６がレール２と係合し、落ちなくなる。外すときは、これとは逆に、９０°回転してから手前に引っ張るだけでよい。
【００１２】
他の機能部品６，７，８の取付けには、図７に示すようなカスタムフック５を使用する。カスタムフック５は、上向きに開口したフック部１８と、レール２と係合する矩形の板状の係合部１６と、フック部１８と係合部１６を繋ぐ軸部１７とを有している。カスタムフック５の取付け方は、リースフック４の場合と同様に、係合部１６が横長の状態となるようにして持ち、係合部１６を室外側からレール２の開口部１３に挿入し、その後９０°回転することで係合部１６がレール２と係合して落ちなくなる。
【００１３】
図８は、表札６を示している。表札６は、裏面側の左右２箇所に、カスタムフック５のフック部１８を後方より挿入可能な穴１９と、その上方にフック部１８が引っ掛かる係止部２０を有している。
表札６を取付ける際には、図９（ａ）に示すように、一のレール２に２つのカスタムフック５を予め所定の間隔で取付けておき、表札６裏面の穴１９にカスタムフック５のフック部１８を挿入し、その後、図９（ｂ）に示すように、表札６を下に下げることでフック部１８が係止部２０に係止して、表札６が落ちなくなる。
【００１４】
図１０は、ポスト７を示している。ポスト７は、前面に投函口２１を有し、その下方に前方に開く扉２２を有している。ポスト７の背面には、左右２箇所にカスタムフック５のフック部１８を後方より挿入可能な穴１９と、その上方にフック部１８が引っ掛かる係止部２０を有している。ポスト７の取付け方は、表札６の場合と同様である。
【００１５】
図１１は、プランターボックス８を示している。プランターボックス８は、上面が開放した箱型に形成され、植木鉢２３等を収容する凹部２４を有し、底面には排水孔２５が設けてある。プランターボックス８の背面には、左右２箇所にカスタムフック５のフック部１８を後方より挿入可能な穴１９と、その上方にフック部１８が引っ掛かる係止部２０を有している。プランターボックス８の取付け方は、表札６の場合と同様である。
【００１６】
以上に述べたように本パネル体は、パネル体本体１の表面に複数本のレール２が上下方向に間隔をおいて左右方向に取付けてあり、図１に示すように、レール２を利用して機能部品４，５，６，７，８を取付け自在であるため、需要者が好みの機能部品４，５，６，７，８を好みの位置に取付けて、パネル体を自由にコーディネートできる。レール２は、奥側が入口側よりも広くなっているので、機能部品４，５，６，７，８が外れにくい。さらに、パネル体表面に取付けた化粧板３でレール２を隠してあるので、図２に示すように、機能部品を取付けない場合の意匠性も良い。さらに本パネル体は、レール２の長手方向の任意の位置に機能部品４，５，６，７，８を前方から取付け・取外しができるので、機能部品の取付け・取外しや取付位置の変更が容易である。また本パネル体は、シリンダー２６をレール２の底部に配置したことで、シリンダー２６がどこにあるか分かりにくいので、防犯性にも優れている。
【００１７】
図１２〜１４は、本発明のパネル体の第２実施形態を示している。本実施形態のものは、パネル体本体１の室外側面に複数本のレール２，２，…が左右方向に間隔をおいて上下方向に取付けてある。さらにパネル体本体１の室外側面には、複数枚の帯板状の化粧板３，３，…が長手方向を縦方向にして配設され、いわゆる縦張りで取付けてある。化粧板３でレール２を隠している点、シリンダー２６をレール２の底部に配置している点は、第１実施形態と同様である。
【００１８】
レール２は、図１５に示すように、一対の側壁に角孔状の係止孔２７が長手方向に沿って多数形成してある。リースフック４を取付ける際には、図１５（ａ）に示すように、係合部１６が縦長の状態となるようにして持ち、室外側から係合部１６をレール２の開口部１３に挿入する。その後、図１５（ｂ）に示すように、９０°回転することで、係合部１６がレール２の係止孔２７に係合し、落ちなくなる。外すときは、これとは逆に、９０°回転してから手前に引っ張るだけでよい。カスタムフック５の取付け方もこれと同様である。
表札６等の他の機能部品を取付ける際には、予めレール２にカスタムフック５を取付けておき、カスタムフック５に引っ掛けて他の機能部品を取付ける。
【００１９】
第２実施形態のパネル体も、第１実施形態のパネル体と同じように、好きな場所に好きな機能部品４，５，６，７，８を取付けて、自由にカスタマイズできる。レール２が化粧板３で隠れているので、機能部品を取付けない場合の意匠性もよい。シリンダー２６がレール２の底部に配置してあることで、防犯性にも優れている。
【００２０】
本発明は以上に述べた実施形態に限定されない。パネル体本体１の構造や材質、レール２及び化粧板３の材質、断面形状等は、適宜変更することができる。機能部品は、パネル体に何らかの機能を付加するものであれば何でもよく、リースフック４、表札６、ポスト７、プランターボックス８に限らず、例えば単なる装飾であってもよい。フック等の形状は、任意である。本発明のパネル体の用途は、玄関等の出入口用の戸板に限らず、例えば外装や内装用のパネル体や、間仕切り等、建築分野に幅広く適用できる。
【符号の説明】
【００２１】
１  パネル体本体
２  レール
３  化粧板
４  リースフック（機能部品）
５  カスタムフック（機能部品）
６  表札（機能部品）
７  ポスト（機能部品）
８  プランターボックス（機能部品）
【図１】
2015094115.tif 000003
【図２】
2015094115.tif 000004
【図３】
2015094115.tif 000005
【図４】
2015094115.tif 000006
【図５】
2015094115.tif 000007
【図６】
2015094115.tif 000008
【図７】
2015094115.tif 000009
【図８】
2015094115.tif 000010
【図９】
2015094115.tif 000011
【図１０】
2015094115.tif 000012
【図１１】
2015094115.tif 000013
【図１２】
2015094115.tif 000014
【図１３】
2015094115.tif 000015
【図１４】
2015094115.tif 000016
【図１５】
2015094115.tif 000017